(57)【要約】      （修正有）【課題】椅子に靴を履くときと脱ぐときの治具を一体的に取り付け、それぞれの治具を用いて容易に靴を履くことができ、一方の治具に靴の踵を当てるだけで容易に靴を脱ぐことができる椅子を提供する。【解決手段】人が腰掛ける椅子１に連結された台板２と、椅子の前方位置に取り付けられた、靴の先端を掛け止めるストッパ１１を有する板材１２と、板材の下面に弾性部材１５を有し、靴を履いた足を乗せた際に板材が沈むように成る靴履かせ具３と、椅子の前側に取り付けられた支持部と、靴のヒールに掛け止める湾曲形状の部材からなるヒール掛止め部とから成るヒール用靴脱がし具４と、靴の履き口に掛け止める鉤状に形成された引掛け部から成る履き口用靴脱がし具５と、台板の前方に立設された手摺６と、を備えた。【選択図】図１
0003199161.tif 000002
【実用新案登録請求の範囲】
【請求項１】
靴を履く際及び靴を脱ぐ際の両方に使用することができる靴履かせ具と靴脱がし具を備えた椅子であって、
人が腰掛ける椅子（１）に連結された台板（２,３１，４１）と、
前記台板（２,３１，４１）における前記椅子（１）の前方位置に取り付けられた、靴の先端を掛け止めるストッパ（１１）を有する板材と、該板材の下面に弾性部材（１５）を有し、靴を履いた足を乗せた際に該板材が沈むように成る靴履かせ具（３）と、
前記椅子（１）の前側に取り付けられた、支持部（１８）と、靴のヒールに掛け止める湾曲形状の部材からなるヒール掛止め部（１９）とから成るヒール用靴脱がし具（４）と、
前記椅子（１）の前側に取り付けられた、靴の履き口に掛け止める鉤状に形成された引掛け部（２４）から成る履き口用靴脱がし具（５）と、
前記台板（２,３１，４１）における前記椅子（１）の前方位置に立設された手摺（６）と、備えた、ことを特徴とする靴履かせ具と靴脱がし具を備えた椅子。
【請求項２】
前記靴履かせ具（３）は、
靴の先端を掛け止めるストッパ（１１）を有する長方形状の上板（１２）と、
該上板（１２）の短辺とヒンジ（１４）でそれぞれ開閉自在に連結された長方形状の下板（１３）と
該上板（１２）と下板（１３）と間に挟み込まれた弾性部材（１５）と、
該下板（１３）の前記ヒンジ（１４）側に、前記台板（２）の短手方向にスライド移動するように取り付けられたスライド金具（１７）と、から成る、ことを特徴とする請求項１の靴履かせ具と靴脱がし具を備えた椅子。
【請求項３】
前記ヒール用靴脱がし具は、
前記椅子（１）の前側において、前記支持部（１８）とヒール掛止め部（１９）の中間部（２０）で、回動自在に取り付けられ、
使用に際して、該ヒール掛止め部（１９）を展開して水平状態を維持して、該ヒール掛止め部（１９）で靴のヒール部分を掛け止めて靴を脱がすことができ、
使用しないときは、該ヒール掛止め部（１９）が下向きに、該支持部（１８）が上向きになり、該椅子（１）の側方に突出しないように格納されるように構成された、ことを特徴とする請求項１又は２の靴履かせ具と靴脱がし具を備えた椅子。
【請求項４】
前記台板（３１）は、前記椅子（１）の下面においてスライド移動可能に取り付けられ、前記手摺（６）と共に、該手摺（６）が該椅子（１）の前側まで近づけられるように該椅子（１）の下面にスライド移動させられるように構成された、ことを特徴とする請求項１、２又は３の靴履かせ具と靴脱がし具を備えた椅子。
【請求項５】
前記台板（４１）は、前記椅子（１）の前側部分で折れ曲がり、折り曲げられた台板（４１）の一部は、該椅子（１）の前側部分に立て掛けて折り畳めるように構成された、ことを特徴とする請求項１、２又は３の靴履かせ具と靴脱がし具を備えた椅子。
【考案の詳細な説明】
【技術分野】
【０００１】
本考案は、靴を履く際と靴を脱ぐ際の両方に使用できる補助具付き椅子に係り、特に足腰の動きや体の曲げが不自由な者が、腰かけた状態又は腰かける際に靴を安全にかつ容易に履くことができ、また脱ぐことができる靴履かせ具と靴脱がし具を備えた椅子に関する。
【背景技術】
【０００２】
従来より、靴を履くときに、靴べらが使用されている。この靴べらは文字通りへら状のもので、材質はプラスチック製、木製、竹製等のものがある。靴べらの表面は滑らかに仕上げられ、靴と足の踵との隙間に差し込められる程度の厚さを有し、また踵の横幅よりも幅が狭く形成されている。靴を履くに際して、靴べらを踵に当てて、靴に足を入りやすくする。この靴べらは靴の伸縮性が乏しい革靴によく使用されている。玄関等では柄の長い靴べらが良く使用されている。
【０００３】
一方、靴を脱ぐ際には靴の踵部分を手で持って脱ぐ方法が一般的である。更に、乗馬靴、靴ブーツのような脱ぎづらい靴を容易に脱ぐことができる靴脱ぎ具が提案されている。図１０の平面図（ａ）、正面図（ｂ）に示すように、この靴脱ぎ具５１は、１枚の長板５２の一端にＵ字形状の靴掛け止め部５３を、長板５２の他端に踏み板部５４をそれぞれ有し、長板５２の中間の下面に支持台５５を備えた道具である。
【０００４】
この靴脱ぎ具５１の使用に際して、図１１の使用状態の斜視図に示すように、靴掛け止め部５３に長靴・ブーツ等の一方の靴（右脚）Ｓの踵を掛け止め、反対の足（左脚）で踏み板部５４を踏んだ状態で、靴掛け止め部５３に掛け止めた靴Ｓから足を抜き取る。このとき浮き上がろうとする靴脱ぎ具５１は踏み板部５４を踏むことで阻止できる。
【０００５】
この１枚の長板５２から成る靴脱ぎ具５１では、足腰の動きや体の曲げが不自由な者が、立ったまま、腰かけたままで靴を脱ぐことは困難であった。そこで、座って靴を脱ぐことができるようにした靴脱ぎ具に関する技術が提案されている。例えば、特許文献１の特開２０１１−１９５４２号公報「長靴脱ぎ器」のように、長靴・ブーツ等の履物の踵をひっかけて脱がす補助板を先端に備えた板部に、脚とその上部に座面を備えた椅子部を乗せることによって固定し、座った状態で快適に脱げる事を特徴とする長靴脱ぎ器が提案されている。この板部は、先端に長靴・ブーツ等の足首部をはさめる形状の切り欠きをもたせた補助板を設けたものである。また、前記板部は、その本体中央に足を乗せられるステップを有する。
【０００６】
上述した特許文献１の「長靴脱ぎ器」によれば、椅子部に座って、補助板に設けられた切り欠きに踵をはさみ、足を手前に引き寄せることで、長靴・ブーツ等の履物のみ補助板に捕らえられ脱ぐことができるので、動作の途中に手の補助を必要としない。そのため中腰や屈む、片足を上げるなどの動作も不要になり、身体的負担が軽減される。また履物を脱いだ足は板に置くことができる。
【先行技術文献】
【特許文献】
【０００７】
【特許文献１】特開２０１１−１９５４２号公報
【考案の概要】
【考案が解決しようとする課題】
【０００８】
年齢の積み重ねにより、身体機能が衰え、筋肉の衰退、関節の劣化等に因り、膝の屈伸に痛みを伴ったり、腰が曲がりにくくなってくる。このような人にとって、中腰の体勢をとりながら靴を履くことは困難な作業であった。例えば、靴を履くときに、靴そのものを足先で動かして靴の履き口に足を差し込むことが困難なことであった。更に、靴べらを手で持ち、この先端のへら部分を靴の履き口に差し込むことも困難なことであった。このときに、靴が前方に逃げていくことがあった。即ち、このような人にとっては、靴べらだけでは靴を容易に履くことができないという問題を有していた。
【０００９】
一方、このような人にとって、靴を脱ぐ作業も困難な作業であった。特許文献１の「長靴脱ぎ器」でも、補助板に設けられた切り欠きに踵をはさみ、足を手前に引き寄せる際に、この補助板を備えた板部が浮き上がるおそれがある。両方の足を自由に動かせる人は、この板部の本体中央のステップに足を乗せることで浮き上がりを阻止できる。しかし、足が不自由な人は、この板部のステップに足を乗せることができず、容易に脱ぐことができないという問題を有していた。
【００１０】
本考案は、かかる問題点を解決するために創案されたものである。すなわち、本考案の目的は、椅子に靴を履くときと脱ぐときの治具を一体的に取り付けることで、それぞれの治具を用いて容易に靴を履くことができ、一方治具に靴の踵を当てるだけで容易に靴を脱ぐことができる靴履かせ具と靴脱がし具を備えた椅子を提供することにある。
【課題を解決するための手段】
【００１１】
本考案は、靴を履く際及び靴を脱ぐ際の両方に使用することができる靴履かせ具と靴脱がし具を備えた椅子であって、
人が腰掛ける椅子（１）に連結された台板（２，３１，４１）と、
前記台板（２，３１，４１）における前記椅子（１）の前方位置に取り付けられた、靴の先端を掛け止めるストッパ（１１）を有する板材と、該板材）の下面に弾性部材（１５）を有し、靴を履いた足を乗せた際に該板材が沈むように成る靴履かせ具（３）と、
前記椅子（１）の前側に取り付けられた、支持部（１８）と、靴のヒールに掛け止める湾曲形状の部材からなるヒール掛止め部（１９）とから成るヒール用靴脱がし具（４）と、
前記椅子（１）の前側に取り付けられた、靴の履き口に掛け止める鉤状に形成された引掛け部（２４）から成る履き口用靴脱がし具（５）と、
前記台板（２）における前記椅子（１）の前方位置に立設された手摺（６）と、を備えた、ことを特徴とする。
【００１２】
前記靴履かせ具（３）は、
靴の先端を掛け止めるストッパ（１１）を有する長方形状の上板（１２）と、
該上板（１２）の短辺とヒンジ（１４）でそれぞれ開閉自在に連結された長方形状の下板（１３）と
該上板（１２）と下板（１３）と間に挟み込まれた弾性部材（１５）と、
該下板（１３）の前記ヒンジ（１４）側に、前記台板（２）の短手方向にスライド移動するように取り付けられたスライド金具（１７）と、から成るものである。
【００１３】
前記ヒール用靴脱がし具は、
前記椅子（１）の前側において、前記支持部（１８）とヒール掛止め部（１９）の中間部（２０）で、回動自在に取り付けられ、
使用に際して、該ヒール掛止め部（１９）を展開して水平状態を維持して、該ヒール掛止め部（１９）で靴のヒール部分を掛け止めて靴を脱がすことができ、
使用しないときは、該ヒール掛止め部（１９）が下向きに、該支持部（１８）が上向きになり、該椅子（１）の側方に突出しないように格納されるように構成されたものである。
【００１４】
前記台板（３１）は、前記椅子（１）の下面においてスライド移動可能に取り付けられ、前記手摺（６）と共に、該手摺（６）が該椅子（１）の前側まで近づけられるように該椅子（１）の下面にスライド移動させられるように構成されたものである。
また、前記台板（４１）は、前記椅子（１）の前側部分で折れ曲がり、折り曲げられた台板（４１）の一部は、該椅子（１）の前側部分に立て掛けて折り畳めるように構成することもできる。
【考案の効果】
【００１５】
本考案では、足腰が弱く立った状態での動作に不安がある人が、椅子（１）に腰掛けながら、靴が前方へ移動することなく容易に履くことができ、更に靴を脱ぐときに、手摺（６）に掴まりながら靴を脱ぐと共に椅子（１）に腰掛けることができ、安心して靴を履いたり、脱いだりすることができる。
靴を履いて立ち上がる際と、靴を脱いで立ち上がる際のいずれでも、椅子（１）の前方位置に立設された手摺（６）を用いることで安全に立ち上がることができる。
【００１６】
靴を履くときは、靴履かせ具（３）のストッパ（１１）に、靴のつま先が当たるように、傾斜している板材に靴を載せ、該靴に足のつま先を入れ、靴べらを踵に当てながら差し込み、板材の沈む動作と合わせて、踵を履き口に落下させるだけで、容易に靴を履くことができる。このときは、通常の靴べらを踵に当てる。
この靴履かせ具（３）は、椅子（１）の前方において、左右にスライド移動させることができるので、右の靴を履くときは靴履かせ具（３）を右側に移動させて、靴を置く。左の靴を履くときは靴履かせ具（３）を左側に移動させて、靴を置く。
【００１７】
ヒール用靴脱がし具（４）を用いて靴を脱ぐときは、このヒール用靴脱がし具（４）のヒール掛止め部（１９）に、靴のヒールを掛け止め、足を上方に上げると共に、引く抜く。
また、履き口用靴脱がし具（５）を用いて靴を脱ぐときは、この履き口用靴脱がし具（５）の引掛け部（２４）に、靴の履き口を掛け止め、足を上げるながら足を引き出す。靴の形態の相違に応じて、ヒール用靴脱がし具（４）又は履き口用靴脱がし具（５）を選択できる。
【００１８】
台板（３１，４１）をスライド式又は折り畳み式にすることで、手摺（６）が椅子（１）の前方位置から前脚部（７）の直前までスライド移動させ、又は折り畳むことにより、使用しないときにコンパクトにすることができるので、玄関が狭いときでも椅子（１）の前方に突出した手摺（６）が邪魔にならない。
【図面の簡単な説明】
【００１９】
【図１】本考案の靴履かせ具と靴脱がし具を備えた椅子を示す側面図である。
【図２】本考案の靴履かせ具と靴脱がし具を備えた椅子を示す正面図である。
【図３】本考案の靴履かせ具と靴脱がし具を備えた椅子を示す平面図である。
【図４】靴履かせ具を示し、（ａ)は拡大平面図、（ｂ）は拡大側面図、（ｃ）は拡大背面図である。
【図５】ヒール用靴脱がし具を示し、（ａ)は拡大平面図、（ｂ）は正面図、（ｃ）は側面図、（ｄ）は（ｂ）のｄ−ｄ線断面図である。
【図６】ヒール用靴脱がし具を示す椅子正面図であり、（ａ)は展開している状態、（ｂ）は格納している状態である。
【図７】履き口用靴脱がし具を示し、（ａ)は平面図、（ｂ）は側面図、（ｃ）は正面図である。
【図８】台板の変形例１を示す側面図であり、（ａ）は台板を展開している状態、（ｂ）は台板を格納している状態である。
【図９】台板の変形例２を示す側面図であり、（ａ）は台板を展開している状態、（ｂ）は台板を折り畳んだ状態である。
【図１０】従来の靴脱ぎ具を示し、（ａ）は平面図、（ｂ）は正面図である。
【図１１】従来の靴脱ぎ具の使用状態を示す斜視図である。
【考案を実施するための形態】
【００２０】
本考案は、椅子に連結された台板に靴履かせ具と手摺を取り付け、椅子に、ブーツ、紳士用革靴等の硬いヒールがある靴に用いるヒール用靴脱がし具と、浅い靴、ヒール部分がない靴に用いる履き口用靴脱がし具とを備え、靴を履くときと、靴を脱ぐときの何れにも利用できる椅子である。
【実施例１】
【００２１】
以下、本考案の好ましい実施の形態を図面を参照して説明する。
＜本考案の全体構成＞
図１は本考案の靴履かせ具と靴脱がし具を備えた椅子を示す側面図である。図２は本考案の靴履かせ具と靴脱がし具を備えた椅子を示す正面図である。図３は本考案の靴履かせ具と靴脱がし具を備えた椅子を示す平面図である。
本考案の靴履かせ具と靴脱がし具を備えた椅子は、椅子１に連結した台板２と、靴履かせ具３と、ヒール用靴脱がし具４と、履き口用靴脱がし具５と、手摺６とを備えた椅子である。この椅子１に人が腰掛けて靴を履くことができ、また靴を脱ぐときにも人が腰掛けて安心して動作することができる。この椅子１に腰掛ける際には手摺６に掴まり、また立ち上がる際にもこの手摺６に掴まりながら安心かつ容易に動作することができる。
【００２２】
高齢者並びに身体の不自由な人が、この椅子１に備えた靴履かせ具３と靴脱がし具４，５を利用すれば、安全かつ容易に靴を履くことができ、脱ぐこともできる。従来のように、立ったままの姿勢で足を縦に並べ、手前の足で靴を押さえつけ、もう片方を宙に浮かせる動作やバランスをとる必要もない。靴を履く際に靴が前方へ逃げることなく容易に履くことができる。また、靴を脱ぐときも、前かがみになって靴を抑える必要もなく容易に脱ぐことができる。
【００２３】
＜椅子１の構成＞
椅子１は、例えば前脚部７と後脚部８の上部に座枠部９と背もたれ部１０を有する椅子である。なお、本考案の椅子１は靴を履くとき及び靴を脱ぐときに座り安定した状態を維持できればよいので、図示例のような形態の椅子に限定されない。背もたれ部１０がない椅子でもよい。また、前脚部７と後脚部８のように明確に分かれてないものでもよい。また、所謂丸椅子のように座枠部（座ぶとん部）が回転するような構成でもよい。座枠部が回転する椅子は、この椅子に靴を履く際と脱ぐ際に容易に腰掛けることができる。
【００２４】
この椅子１に板状の台板２が連結されている。この台板２には、靴を履くときに使用する靴履かせ具３と、椅子１に腰掛ける際又は立ち上がる際に掴まる手摺６が取り付けられている。また、椅子１には、主にブーツ、長靴のように長くヒール部分とヒールカーブとの間に隙間が形成された靴に用いるヒール用靴脱がし具４と、主に短靴又はスニカーのように柔らかい靴の履き口に差し込んで靴を脱がす履き口用靴脱がし具５とが取り付けられている。何れの靴にも対応できるようにするためである。
【００２５】
＜靴履かせ具３の構成＞
図４は靴履かせ具を示し、（ａ)は拡大平面図、（ｂ）は拡大側面図、（ｃ）は拡大背面図である。
靴履かせ具３は、台板２における椅子１の前脚部７の前方位置に取り付けられた文字通り靴を履くときに用いる治具である。この靴履かせ具３は、靴の先端を掛け止めるストッパ１１を有する上板１２と、この上板１２の下面に下板１３とをストッパ１１が形成された一辺をヒンジ１４で開閉自在に連結されている。
【００２６】
上板１２と下板１３は、靴を載せることができる大きさを有する板材である。この板材１２，１３の前方（靴のつま先側）に３方を立ち上げたストッパ１１が形成されている。このストッパ１１は靴を履く際に、足を入れた靴が足から離れるのを防止するものである。なお、靴の後方に設けなかった理由は、履き終わった後にこの靴履かせ具３の後方に靴を移動させれば済むようにするためである。ストッパ１１は靴を履く際に前方への移動を阻止して、靴の位置を固定すると、靴べらを靴の履き口から差し込みやすくなるからである。なお、この上板１２の傾斜角度αは１５〜２０度が好ましい（図４（ｂ）参照）。
【００２７】
上板１２と下板１３と間にコイルばねのような弾性部材１５を挟み込み、上板１２の後方（靴の後方、踵側）が沈むように構成した。更に上板１２と下板１３の前方（靴の先方）にヒンジ１４で開閉自在になるので、この弾性部材１５の伸縮により、靴の後方（踵部分）が大きく上下動する。そこで、踵を靴に入れる際に同時に靴が沈み、その上板１２が沈む弾みで踵が靴の中に落とし込まれるようになる。この弾性部材１５の弾性力が弱いものが好ましい。
【００２８】
下板１３は、台板２上において、その短手方向にスライド移動するように取り付けられたものである。この下板１３の前方（靴の先方）には、台板２に設けられたレール１６をスライド移動するスライド金具１７が取り付けられている。本考案では、右の靴、左の靴と使い易くできるようにするためである。なお、台板２に取り付けたレール１６に、下板１３の一端に金具１７を可動自在に取り付けた構成を示しているが、このような構成に限定されないことは勿論である。
【００２９】
＜靴履かせ具３の使用方法＞
この靴履かせ具３を用いて靴を履くときには、先ず、靴のつま先がストッパ１１に当たるように、傾斜している上板１２に靴を載せる。次に、椅子１に座った状態で、この靴に足のつま先を入れ、靴べらを踵に当てながら差し込む。この状態で足に体重をかけると、上板１２の沈む動作と合わせて踵を履き口に落下させることができ、靴履きが完了する。必要に応じて、手摺６に掴まりながら作業する。最後に立ち上がる際に、手摺６に掴まりながら立ち上がる。
【００３０】
このとき、靴履かせ具３は椅子１の前方において、左右（台板２の短手方向）にスライド移動させることができる。そこで、右の靴を履くときは靴履かせ具３を右側に移動させて靴を置く。左の靴を履くときは靴履かせ具３を左側に移動させて靴を置く。この順番はこの逆でも良いことは勿論である。
【００３１】
＜ヒール用靴脱がし具４の構成＞
図５はヒール用靴脱がし具を示し、（ａ)は拡大平面図、（ｂ）は正面図、（ｃ）は側面図、（ｄ）は（ｂ）のｄ−ｄ線断面図である。図６はヒール用靴脱がし具を示す椅子正面図であり、（ａ)は展開している状態、（ｂ）は格納している状態である。
ヒール用靴脱がし具４は、椅子１の前脚部７に両側において、支持部１８とヒール掛止め部１９の中間部２０で、前脚部７の保持板２１の両端平面を回動面として回動自在になり、水平状態になったときに停止具２２で回動が規制されるように保持板２１にそれぞれ取り付けられている。
【００３２】
ヒール掛止め部１９は、長靴・ブーツ等の一方の靴の踵を掛け止められるように、細長い金属材を図５（ａ)の平面図に示すように、約半分あるいは１／３を半円形状に曲折した部材である。この半円形状部分には、靴のヒール部分に当てても、靴に傷がつかないように図５（ｄ）の断面図に示すように、横断面が略台形、又は三角形状の保護材２３を取り付けている。この保護材２３は、軟質の合成樹脂材又はゴム材から成る。
【００３３】
このヒール用靴脱がし具４は、そのヒール掛止め部１９が椅子１の左右に大きく突出した状態になるので、このように展開、格納方式にした。本考案を広い場所で使用するときは、ヒール掛止め部１９が椅子１の左右側方に大きく突出した状態の固定方式でもよい。
【００３４】
このヒール用靴脱がし具４を使用するときは、図６（ａ)に示すように、ヒール掛止め部１９を水平に展開して、ヒール掛止め部１９で靴のヒール部分を掛け止めても、水平状態が維持され、靴を脱がすことができるように構成されたものである。浮き上がろうとするヒール掛止め部１９は保持板２１が停止具２２で止り、支持部１８の回動を規制している。
【００３５】
本考案のヒール用靴脱がし具４を使用しないときは、図６（ｂ)に示すようにヒール掛止め部１９が下向きに、支持部１８が上向きになるように収納される。使用しないとき、又は運搬する際に椅子１の側方から突出しないようにするためである。
【００３６】
＜履き口用靴脱がし具５の構成＞
図７は履き口用靴脱がし具を示し、（ａ)は平面図、（ｂ）は側面図、（ｃ）は正面図である。
履き口用靴脱がし具５は、靴の履き口に掛け止めて靴を脱がす治具である。引掛け部２４は図７（ｂ）に示すように、靴を履いている踵と、靴の履き口との間に差込めるように湾曲した先端に舌片部を有する鉤状の部材からなる。その横断面は靴べらの断面と略同じ形状を有する。この履き口用靴脱がし具５を用いて靴を脱ぐときは、この履き口用靴脱がし具５の引掛け部２４に、靴の履き口を掛け止め、足を上げながら足を引き出す。
靴の形態の相違に応じて、ヒール用靴脱がし具４又は履き口用靴脱がし具５を選択できる。
【００３７】
＜台板の変形例１＞
図８は台板の変形例１を示す側面図であり、（ａ）は台板を展開している状態、（ｂ）は台板を格納している状態である。
変形例１の台板３１，３１は、椅子１の下面に、台板用レールを設け、この台板用レール３２間に台板２をスライド移動させるように構成したものである。玄関が狭いときは、椅子１の前方に突出した手摺６が邪魔になる。そこで。この変形例では、この手摺６が椅子１の前方位置から前脚部７の直前までスライド移動させ、使用しないときにコンパクトになるようにした。
【００３８】
通常は、この台板用レール間に台板３１を収納させておく。台板３１を手摺６と靴履かせ具３と共に、椅子１の前脚部７の直前までスライド移動させておく。このとき、靴履かせ具３は椅子１の下に配置される。
使用に際しては、台板３１を手摺６と共に、椅子１の前方に引き出す。更に、完全に引き出されたときは、その位置に不要に移動しないように係合金具（図示していない）で固定することが好ましい。
【００３９】
＜台板の変形例２＞
図９は台板の変形例２を示す側面図であり、（ａ）は台板を展開している状態、（ｂ）は台板を折り畳んだ状態である。
変形例２の台板４１は、椅子１の前脚部７部分で折れ曲がり、折り曲げられた台板２の一部は、前脚部７側に立て掛けて折り畳めるように構成した。変形例２では、椅子１の前方において、上方へ折り畳めるようにした、使用しないときにコンパクトになるようにした。なお、この折り畳み式では、手摺６を着脱式にすることが望ましい。
【００４０】
例えば、椅子１の前脚部７において、靴履かせ具３を備えた台板４１の一端を台板用ヒンジ４２で展開可能に取り付ける。このとき手摺６は、両下端部６ａが台板４１の他端を挟むように、かつ回動自在に取り付ける。または図示するようなポケット６ｂに着脱自在に取り付ける。手摺６が台板２に固定された状態であると折り畳んだ際に、椅子１の座枠部９又は背もたれ部１０などと干渉して十分に折り畳むことができないからである。
【００４１】
使用に際しては、立て掛けた台板４１の方へ力が作用するので、手摺６の下部が一部回動であっても人を支える手摺６としての機能は発揮できる。勿論、展開した後に手摺６が回動しないように係合金具（図示していない）で固定することが好ましい。
【００４２】
なお、本考案は、椅子１に靴を履くときと脱ぐときの治具を一体的に取り付けることで、靴履かせ具３を用いて容易に靴を履くことができ、一方靴脱がし具４，５に靴の踵を当てるだけで容易に靴を脱ぐことができる構成であれば、上述した考案の実施の形態に限定されず、本考案の要旨を逸脱しない範囲で種々変更できることは勿論である。
【産業上の利用可能性】
【００４３】
本考案の靴履かせ具と靴脱がし具を備えた椅子は、高齢者の居住地に限定されず、特養施設、病院等の足腰の弱った人が居る場所、施設であれば利用することができる。
【符号の説明】
【００４４】
１  靴履かせ具と靴脱がし具を備えた椅子
２，３１，４１  台板
３  靴履かせ具
４  ヒール用靴脱がし具
５  履き口用靴脱がし具
６  手摺
１１  ストッパ
１２  上板
１３  下板
１４  ヒンジ
１５  弾性部材
１７  スライド金具
１８  支持部
１９  ヒール掛止め部
２０  中間部
２４  引掛け部
【図１】
0003199161.tif 000003
【図２】
0003199161.tif 000004
【図３】
0003199161.tif 000005
【図４】
0003199161.tif 000006
【図５】
0003199161.tif 000007
【図６】
0003199161.tif 000008
【図７】
0003199161.tif 000009
【図８】
0003199161.tif 000010
【図９】
0003199161.tif 000011
【図１０】
0003199161.tif 000012
【図１１】
0003199161.tif 000013